(57)【特許請求の範囲】
【請求項１】
文字、図形等を切欠き形成した貫通部（２）を有するＡｌ板（１）と、
該Ａｌ板（１）の表て面に一体状に積層された有色彩の再帰性反射シート（３）と、
白色系の半透明の反射シート（４）を一体状に透明アクリル板（５）に積層して、上記Ａｌ板（１）の裏面に取着具（10）にて固着された裏当て板（20）と、
該裏当て板（20）の後方に所定間隔を介して配設された乳白色半透明板（６）と、
を具備することを特徴とする道路標識。
【請求項２】
上記取着具（10）を、上記Ａｌ板（１）の貫通部（２）を避けた位置に配設した請求項１記載の道路標識。
【請求項３】
裏当て板（20）を、少なくとも貫通部（２）を裏面から閉じるように、Ａｌ板（１）の全面の一部にのみ配設した請求項１又は２記載の道路標識。
【請求項４】
上記取着具（10）はＡｌ型材から成ると共に上記Ａｌ板（１）の裏面に溶接（10’）にて固着され、しかも、該取着具（10）と、上記裏当て板（20）の外周端縁部（20Ａ）との間に、コーキング材（13）が介設されている請求項１，２又は３記載の道路標識。
【発明の詳細な説明】
【技術分野】
【０００１】
本発明は、道路標識に関する。
【背景技術】
【０００２】
従来、道路標識は、朝日および西日の逆光線が当たっても表面の文字や記号を認識できるように、反射材を接着した透明強化プラスチック板の背後に、所定間隔をもって、光線を分散しながら通過可能な半透明乳白色強化プラスチック板を設置したものがある（例えば、特許文献１参照）。
【０００３】
しかし、半透明乳白色強化プラスチック板の背面に、補強用の骨組みが必要であり、この補強用の骨組みの影が映らない（前面から骨組みがぼんやりと見えない）ように、上記所定間隔を例えば 200mmと大きく設定しなければならないという欠点があった。さらに、このように大きな間隔を保つために上辺、下辺、左右両側辺を包囲して、全体を箱型とせねばならなかった。
【特許文献１】特許第３４６８５０６号公報
【発明の開示】
【発明が解決しようとする課題】
【０００４】
解決しようとする課題は、全体の厚さ寸法が大きい点である。また、箱型で大容積となる点である。
【課題を解決するための手段】
【０００５】
そこで、本発明に係る道路標識は、文字、図形等を切欠き形成した貫通部を有するＡｌ板と、該Ａｌ板の表て面に一体状に積層された有色彩の再帰性反射シートと、白色系の半透明の反射シートを一体状に透明アクリル板に積層して、上記Ａｌ板の裏面に取着具にて固着された裏当て板と、該裏当て板の後方に所定間隔を介して配設された乳白色半透明板と、を具備するものである。
【０００６】
また、上記取着具を、上記Ａｌ板の貫通部を避けた位置に配設したものである。
また、裏当て板を、少なくとも貫通部を裏面から閉じるように、Ａｌ板の全面の一部にのみ配設したものである。
また、上記取着具はＡｌ型材から成ると共に上記Ａｌ板の裏面に溶接にて固着され、しかも、該取着具と、上記裏当て板の外周端縁部との間に、コーキング材が介設されているものである。
【発明の効果】
【０００７】
本発明の道路標識によれば、全体の厚さ寸法を小さくすることができる。さらに、全体を箱型とする必要もなくなり、軽量化と構造の簡素化を図り得る。
【発明を実施するための最良の形態】
【０００８】
図１・図２は、本発明の実施の一形態を示す。この道路標識は、朝日および西日の逆光線が当たっても表面の文字、図形等を認識できるように構成されている。すなわち、文字、図形等を切欠き形成した貫通部（切欠）２を有するＡｌ板１を具備する。Ａｌ板１の表て面に一体状に（例えば60℃〜80℃で５分〜８分の熱融着により）積層された有色彩の再帰性反射シート３を具備する。再帰性反射シート３の色彩は、青色や緑色が好ましい。
【０００９】
白色系の半透明の反射シート４を一体状に透明アクリル板５に積層して、Ａｌ板１の裏面に取着具10にて固着された裏当て板20を具備する。反射シート４を再帰性のものとするのが好ましい。裏当て板20が、少なくとも貫通部２を裏面から閉じるように、Ａｌ板１の全面の一部にのみ配設されている。
【００１０】
裏当て板20の後方に（比較的小さい）所定間隔を介して配設された乳白色半透明板６を具備する。すなわち、乳白色半透明板６と取着具10がボルト・ナット結合等の連結部材11にて連結されている。乳白色半透明板６を、Ａｌ板１の大きさの全面的又は部分的のいずれの大きさに設定しても良い。すなわち、貫通部２の裏側対応部のみに、部分的に乳白色半透明板６を設けても良い。取着具10が、Ａｌ板１の貫通部２を避けた位置に配設されている。
【００１１】
取着具10はＡｌ型材から成ると共にＡｌ板１の裏面に溶接10’（例えばスポット溶接）にて固着されている。取着具10と、裏当て板20の外周端縁部20Ａとの間に、コーキング材13が介設されている。コーキング材13は、例えばシリコン系のものを用いることができる。取着具10と、裏当て板20の外周端縁部20Ａとの間、かつ、コーキング材13の内部側（空気に触れない側）に、コーキング止め材12を有するのが好ましい。
【００１２】
なお、本発明は、設計変更可能であって、例えば、連結部材11としては、角筒型やＨ型断面やコの字断面の型材や折曲材を使用することも可能であって、しかも、４辺に配設したり、平行な２辺に沿ってのみ配設するも、好ましい。
【００１３】
以上のように、本発明は、文字、図形等を切欠き形成した貫通部２を有するＡｌ板１と、Ａｌ板１の表て面に一体状に積層された有色彩の再帰性反射シート３と、白色系の半透明の反射シート４を一体状に透明アクリル板５に積層して、Ａｌ板１の裏面に取着具10にて固着された裏当て板20と、裏当て板20の後方に所定間隔を介して配設された乳白色半透明板６と、を具備するので、全体の厚さ寸法Ｔ（図２参照）を小さくすることができる。特に、従来の道路標識は、全体の厚さ寸法が約 200mmと大きかった（厚かった）ところ、本願発明の道路標識では、全体の厚さ寸法Ｔを約65mm〜70mmに小さく（薄く）することができる。また、全体を箱型とするためのハウジング状枠を省略することができるので、コストダウンすることができる。そして、軽量である。さらに、高価な透明アクリル板５を一部（文字、図形等がない部分）省略することができる。
【００１４】
また、取着具10を、Ａｌ板１の貫通部２を避けた位置に配設したので、貫通部２が暗くなることを防止することができる。
【００１５】
また、裏当て板20を、少なくとも貫通部２を裏面から閉じるように、Ａｌ板１の全面の一部にのみ配設したので、高価な透明アクリル板５を一部（文字、図形等がない部分）省略することとなり、コストダウンすることができる。
【００１６】
また、取着具10はＡｌ型材から成ると共にＡｌ板１の裏面に溶接10’にて固着され、しかも、取着具10と、裏当て板20の外周端縁部20Ａとの間に、コーキング材13が介設されているので、Ａｌ板１に裏当て板20を確実に固着することができる。
【図面の簡単な説明】
【００１７】
【図１】本発明の実施の一形態を示す斜視図である。
【図２】要部拡大断面図である。
【符号の説明】
【００１８】
１  Ａｌ板
２  貫通部
３  再帰性反射シート
４  反射シート
５  透明アクリル板
６  乳白色半透明板
10  取着具
10’溶接
13  コーキング材
20  裏当て板
20Ａ  外周端縁部
【図１】
0004838823.tif 000002
【図２】
0004838823.tif 000003